(57)【要約】【課題】ブラウン管の外周長が異なっていても、発熱電線を交換することなく作業が行える、作業能率の良いブラウン管分割装置を提案する。【解決手段】所定の長さの発熱電線５０の巻き取り及び巻き戻しができるように発熱電線５０を収容した収容部１１と、ブラウン管２の被加熱部に巻き回された発熱電線５０の始点を固定する第１の固定部と、始点で固定された発熱電線５０に所定の張力を付与した状態で発熱電線５０の巻き戻しの終点を固定する第２の固定部とを含むブラウン管分割装置１を用いることによって、ブラウン管２の外周長が異なっていても、発熱電線５０を交換することなく作業が行える、作業能率の良いブラウン管分割装置１を提案する。【選択図】図１
2008091075.tif 000002
【特許請求の範囲】
【請求項１】
所定の長さの発熱電線の巻き取り及び巻き戻しができるように前記発熱電線を収容した収容部と、
対象物の被加熱部に巻き回された前記発熱電線の始点を固定する第１の固定部と、
前記始点で固定された前記発熱電線に所定の張力を付与した状態で前記発熱電線の前記巻き戻しの終点を固定する第２の固定部とを含むことを特徴とするブラウン管分割装置。
【請求項２】
所定の長さの発熱電線の巻き取り及び巻き戻しができるように前記発熱電線を収容した収容部と、
対象物の被加熱部に巻き回された前記発熱電線の始点を固定する第１の固定部と、
前記始点で固定された前記発熱電線に所定の張力を付与した状態で前記発熱電線の前記巻き戻しの終点を固定する第２の固定部と、
前記収容部、前記第１の固定部、及び前記第２の固定部を同時に上下させて前記被加熱部に前記発熱電線を巻き回す位置を調整する調整部とを含むことを特徴とするブラウン管分割装置。
【請求項３】
所定の長さの発熱電線の巻き取り及び巻き戻しができるように前記発熱電線を収容した収容部と、
対象物の被加熱部に巻き回された前記発熱電線の始点を固定する第１の固定部と、
前記始点で固定された前記発熱電線に所定の張力を付与した状態で前記発熱電線の前記巻き戻しの終点を固定する第２の固定部と、
前記発熱電線が通電によって熱膨張したとき、前記第１の固定部を移動させて前記発熱電線の張力緩和を制限する可動部とを含むことを特徴とするブラウン管分割装置。
【請求項４】
前記第１の固定部は、第１の電圧を印加され、
前記第２の固定部は、第２の電圧を印加されることを特徴とする請求項１、２あるいは３に記載のブラウン管分割装置。
【発明の詳細な説明】
【技術分野】
【０００１】
本発明は、ブラウン管をパネルガラス部分とファンネルガラス部分とに分割するためのブラウン管分割装置に関する。
【背景技術】
【０００２】
ブラウン管は、ガラスを素材に形成され、画像が表示される画面部分を含むパネルガラス部分と、パネルガラス部分に光を照射することで画像を画面部分に表示させる電子銃を含むファンネルガラス部分とで構成され、パネルガラス部分とファンネルガラス部分が接合部で溶着によって接合されている。このブラウン管のパネルガラス部分と、ファンネルガラス部分はガラスの成分が異なるため、リサイクルしようとするときには、分別する必要がある。
【０００３】
よって、このパネルガラス部分とファンネルガラス部分とを分別して収集するために、パネルガラス部分とファンネルガラス部分とに分割することが行われ、そのためのブラウン管分割装置が開発されている。
【０００４】
従来のブラウン管分割装置として、開閉する一対のグリップと、この一対のグリップの開閉によって開閉し、先端にループ状の発熱電線の両端を固定した一対の支持部材を備え、この一対の支持部材に正負の電極を固定し、ループ状の発熱電線をブラウン管の被加熱部に位置させた後、一対のグリップを閉から開の状態にすることによって一対の支持部材を開から閉の状態にし、この状態で発熱電線に通電してブラウン管の被加熱部を加熱するように構成されたブラウン管分割装置が知られている（例えば、特許文献１参照）。
【０００５】
このブラウン管分割装置によると、ブラウン管の接合部近傍の加熱作業が、簡単になり、しかもブラウン管のサイズに合わせて発熱電線を取り換えることができるので、各種のサイズのブラウン管の分割を行うことができる。
【特許文献１】特開２００１−１２６６２０号公報
【発明の開示】
【発明が解決しようとする課題】
【０００６】
しかし、従来のブラウン管分割装置によると、ブラウン管のサイズが異なったり、ブラウン管のサイズが同じでもメーカの相違によってブラウン管の外周長が異なると、テンションスプリングによって調整できる範囲を超えてしまうため、その都度発熱電線を取り替えることが必要になり、作業能率が悪くなってしまう。
【０００７】
従って、本発明の目的は、ブラウン管の外周長が異なっていても、発熱電線を交換することなく作業が行える、作業能率の良いブラウン管分割装置を提案することにある。
【課題を解決するための手段】
【０００８】
本発明の実施の形態によると、所定の長さの発熱電線の巻き取り及び巻き戻しができるように前記発熱電線を収容した収容部と、対象物の被加熱部に巻き回された前記発熱電線の始点を固定する第１の固定部と、前記始点で固定された前記発熱電線に所定の張力を付与した状態で前記発熱電線の前記巻き戻しの終点を固定する第２の固定部とを含むことを特徴とするブラウン管分割装置を提供する。
【発明の効果】
【０００９】
このような構成によれば、ブラウン管の外周長が異なっていても、発熱電線を交換することなく作業が行える、作業能率の良いブラウン管分割装置を提供することができる。
【発明を実施するための最良の形態】
【００１０】
以下に、本発明のブラウン管分割装置の実施の形態を図面を参考にして詳細に説明していく。
【００１１】
（実施の形態の構成）
図１（ａ）は、本発明の実施の形態に係るブラウン管分割装置を上方から見た図である。
【００１２】
ブラウン管分割装置１は、本体１０と、本体１０の上部にあり、ブラウン管分割装置１の高さを調整する高さ調整部３０と、本体１０の固定系に対して往復移動をする可動部４０と、通電に基づいて発熱する発熱電線５０とを有する。
【００１３】
本体１０は、本体１０の右側に配置され、発熱電線５０を収容する収容部１１と、収容部１１側の発熱電線５０に接触して発熱電線５０に電圧を印加する第２電極１７と、ブラウン管２を分割する位置である被加熱部の位置を決めるときの目印である目印１８と、レバー操作の方向に基づいて、発熱電線５０の固定と解除を行う第２固定レバー１９と、導電性を有する第２固定部材Ａ２０及び第２固定部材Ｂ２１と、可動部４０を固定する可動部固定プレート２２と、可動部４０に弾性力を付与し、ブラウン管２に巻き回した発熱電線５０に張力を付与することで、発熱電線５０をブラウン管２に密着させるばね２３と、本体１０の固定系であり、可動部４０を一定方向に往復移動させる２つのレール２４とを有する。
【００１４】
可動部４０は可動プレート４０ａを有し、可動部４０側の発熱電線５０に電圧を印加する第１電極１２と、レバー操作の方向に基づいて、発熱電線５０の固定と解除を行う第１固定レバー１３と、導電性を有する第１固定部材Ａ１４及び第１固定部材Ｂ１５と、レバー操作の方向に基づいて、可動部固定プレート２２と結合または分離し、可動部４０を本体１０に対して固定または移動可能にする可動部固定レバー１６が可動プレート４０ａに搭載されている。
【００１５】
図１（ｂ）は、本発明の実施の形態に係るブラウン管分割装置の後方側面図である。
【００１６】
高さ調整部３０は、台座３１と、台座３１の上部に配置される高さ調整ハンドル３２と、高さ調整ハンドル３２と結合され、高さ調整ハンドル３２の回転に合わせて同方向に回転する雄ねじ３３と、本体１０の左側に配置され、雄ねじ３３の回転の方向によって本体１０と共に上下する雌ねじ３４と、本体１０と台座３１を結合する２つの支持部材３５とを有する。
【００１７】
図２は、本発明の実施の形態に係る電源装置のブロック図である。
【００１８】
電源装置６は、電力を供給する電源部６０と、加熱時間や発熱電線５０に流す電流の量を設定する設定部６１と、発熱電線５０に流す電流の量、加熱時間を制御する制御部６２とを有する。
【００１９】
電源部６０は、第１電極１２及び第２電極１７とで、発熱電線５０と接続される。
【００２０】
（動作）
以下に、本発明の実施の形態におけるブラウン管分割装置の動作を図１から図７を参照しつつ説明する。
【００２１】
作業者は、ブラウン管２の画面を下にして図示しない作業台に載せ、ブラウン管分割装置１を、ブラウン管２に対して、図１（ａ）のように設置する。
【００２２】
図３（ａ）は、本発明の実施の形態に係る固定部の拡大図である。固定部に対する発熱電線５０の固定の方法について説明する。
【００２３】
作業者が、第１固定レバー１３を矢印Ｘの方向に操作し、発熱電線５０の端部を、第１固定部材Ａ１４と第１固定部材Ｂ１５の間に挟む。
【００２４】
作業者が、第１固定レバー１３を矢印Ｙの方向に操作し、半時計回りにおよそ８分の１回転させると、第１固定レバー１３の端部に接合された楕円盤１３ａも同時に回転する。
【００２５】
楕円盤１３ａの回転の中心から、外周までの半径は、第１固定レバー１３を反時計周りに回転させると大きくなるようにしてあり、およそ８分の１回転で、楕円盤１３ａと第１固定部材Ｂ１５の間隔が、発熱電線５０の厚みよりも少し小さくなり、発熱電線５０を楕円盤１３ａと第１固定部材Ｂ１５で固定することができる。
【００２６】
なお、第１固定部材Ａ１４と第１固定部材Ｂ１５の側部には、第１電極１２があり、また、第２固定部材Ｂ２０と第２固定部材Ｂ２１の側部には、第２電極１７があってそれぞれ電気的に接している。
【００２７】
図３（ｂ）は、第２固定部材Ａ２０と第２固定部材Ｂ２１の間に発熱電線５０を固定する固定部を示し、第２固定レバー１９を矢印Ｙの方向に操作した後、発熱電線５０を第２固定部材Ａ及びＢ２０、２１の間に位置させて第２固定レバー１９を矢印Ｘの方向に操作することによって発熱電線５０を固定する。
【００２８】
図４は、本発明の実施の形態に係るブラウン管分割装置から巻き戻した発熱電線５０をブラウン管２に巻き付けた図である。
【００２９】
作業員は、発熱電線５０の端部を楕円盤１３ａと第１固定部材Ｂ１５で固定したあと、収容部１１を反時計周りに回転させて、発熱電線５０を巻き戻し、ブラウン管２の接合部近傍の被加熱部に巻きつける。作業員は、ブラウン管２から発熱電線５０が落下しないように、収容部１１を時計周りに回転させ、発熱電線５０に張力を付与する。
【００３０】
図５は、本発明の実施の形態に係るブラウン管分割装置の位置調整の図である。
【００３１】
作業員は、高さ調整ハンドル３２を回転させ、目印１８の上端が、ブラウン管２のファンネルガラス部２５とパネルガラス部２６の接合部であるフリット２７付近に来るように調整する。そうすることで、フリット２７から１ｃｍ程下にある被加熱部に、発熱電線５０が巻き回されることになり、ブラウン管２に熱歪を効果的に与えることができる。
【００３２】
図６は、本発明の実施の形態に係る発熱電線をブラウン管に密着させた図である。
【００３３】
作業員は、高さの調整が終わると、再び、収容部１１を時計周りに回転させ、発熱電線５０に張力を付与する。
【００３４】
ここで、発熱電線５０の巻き戻しの終点近傍を固定するために、図３（ｂ）に示したように、作業者が、第２固定レバー１９を矢印Ｙ位置から、矢印Ｘの方向に時計回りにおよそ８分の１回転させると、第２固定レバー１９の下部に接合された、楕円盤１９ａも同時に回転する。
【００３５】
同様に、回転の中心から、楕円盤１９ａの外周までの半径は、第２固定レバー１９を時計周りに回転させると大きくなるようにしてあり、およそ８分の１回転で、楕円盤１９ａと第２固定部材Ｂ２１の間隔が、発熱電線５０の厚みよりも少し小さくなり、発熱電線５０を楕円盤１９ａと第２固定部材Ｂ２１で固定することができる。
【００３６】
更に、可動部固定レバー１６を反時計周りにおよそ４分の１回転させて、本体１０に固定された可動部固定プレート２２と可動部４０の固定を解除する。この固定を解除すると、ばね２３の弾性力が可動部４０に働き、可動部４０は可動プレート４０ａとともに移動し、第１固定部材Ｂ１５と第２固定部材Ｂ２１の間隔を縮める。
【００３７】
可動部４０が、可動プレート４０ａ上の第１固定部材Ｂ１５を移動させて第２固定部材Ｂ２１との間隔を縮めると、通電によって発熱電線５０の長さが伸張した状態においても発熱電線５０をブラウン管２に密着させることができる。
【００３８】
図７は、本発明の実施の形態に係る設定電流と加熱時間の表である。
【００３９】
作業員は、加熱するブラウン管２のサイズに基づいて、図７に示す表に従って、電源装置６の設定部６１で設定電流と加熱時間を設定し、加熱作業を開始する。
【００４０】
一例として、ブラウン管２のサイズが２０インチであるとき、設定電流として１３Ａを、加熱時間として９０秒を電源装置６の設定部６１で設定し、実行する。
【００４１】
作業員は、設定した加熱時間が経過したあと、第２固定レバー１９を矢印Ｙの方向に反時計回りに回転させて、発熱電線５０の固定を解除する。
【００４２】
作業者は、発熱電線５０の固定を解除したあと、可動部４０をレール２４と平行方向に左側に移動させ、可動部固定レバー１６を時計周りにおよそ４分の１回転させて、可動部４０を可動部固定プレート２２に固定する。その結果、図４に示すように、ブラウン管２から発熱電線５０が外れるので、ブラウン管２から発熱電線５０を取り外す。
【００４３】
作業者は、ブラウン管２から発熱電線５０を取り外した後、発熱電線５０の端部は固定したまま、次に分割作業を行うブラウン管２を作業台に載せて上記の手順で発熱電線５０をブラウン管２に巻き回し、加熱作業を開始する。
【００４４】
作業者は、加熱作業を行っている間に、先ほど加熱作業を終えた、発熱電線５０による加熱で熱歪を生じたブラウン管２の被加熱部の四隅をハンマー等で叩いて、ファンネルガラス部２５とパネルガラス部２６を分割する。作業員は、分割したファンネルガラス部２５とパネルガラス部２６をリサイクルするために分別し、ブラウン管２の分割作業を終了する。
【００４５】
（第１の実施の形態の効果）
上記した実施の形態によると、次に分割するブラウン管２のサイズが、直前に分割したブラウン管２のサイズと極端に変わったとしても、収容部１１に格納している発熱電線５０を巻き取り、または、巻き戻しすることで、素早く次の分割作業を行うことが可能になり、ブラウン管の外周長が異なっていても、発熱電線を交換することなく作業が行える、作業能率の良いブラウン管分割装置を提供することができる。
【００４６】
なお、本発明は、上記した実施の形態に限定されず、本発明の技術思想を逸脱あるいは変更しない範囲内で種々の変形が可能である。
【図面の簡単な説明】
【００４７】
【図１】（ａ）は、本発明の実施の形態に係るブラウン管分割装置を上方から見た図である。（ｂ）は、本発明の実施の形態に係るブラウン管分割装置の後方側面図である。
【図２】本発明の実施の形態に係る電源装置のブロック図である。
【図３】（ａ）及び（ｂ）は、本発明の実施の形態に係る固定部の拡大図である。
【図４】本発明の実施の形態に係るブラウン管分割装置から巻き戻した発熱電線をブラウン管に巻き付けた図である。
【図５】本発明の実施の形態に係るブラウン管分割装置の位置調整の図である。
【図６】本発明の実施の形態に係る発熱電線をブラウン管に密着させた図である。
【図７】本発明の実施の形態に係る設定電流と加熱時間の表である。
【符号の説明】
【００４８】
１・・・ブラウン管分割装置、２・・・ブラウン管、６・・・電源装置、１０・・・本体、１１・・・収容部、１２・・・第１電極、１３・・・第１固定レバー、１３ａ・・・楕円盤、１４・・・第１固定部材Ａ、１５・・・第１固定部材Ｂ、１６・・・可動部固定レバー、１７・・・第２電極、１８・・・目印、１９・・・第２固定レバー、１９ａ・・・楕円盤、２０・・・第２固定部材Ａ、２１・・・第２固定部材Ｂ、２２・・・可動部固定プレート、２３・・・ばね、２４・・・レール、２５・・・ファンネルガラス部、２６・・・パネルガラス部、２７・・・フリット、３０・・・高さ調節部、３１・・・台座、３２・・・高さ調節ハンドル、３３・・・雄ねじ、３４・・・雌ねじ、３５・・・支持部材、４０・・・可動部、４０ａ・・・可動プレート、５０・・・発熱電線、６０・・・電源部、６１・・・設定部、６２・・・制御部
【図１】
2008091075.tif 000003
【図２】
2008091075.tif 000004
【図３】
2008091075.tif 000005
【図４】
2008091075.tif 000006
【図５】
2008091075.tif 000007
【図６】
2008091075.tif 000008
【図７】
2008091075.tif 000009